(57)【要約】【課題】シートベルトは搭乗者の安全確保を主目的であるため，シートベルトと衣類との摩擦による衣類生地の損傷に効果的な対策が取られていない。シートベルトは機能上強靭で固い織り方の繊維で構成されており，搭乗中の動作によりヤスリのような作用を衣服生地に及ぼす。右座席シートベルト装着時右側股関節部で衣服とシートベルトとの接触により摩擦による損傷が顕著にみられる。【解決手段】  シートベルトと着衣の接触による損傷を抑制するにはシートベルトに直接保護部を設ける方法と保護カバーを装着させる方法があり，シートベルトの車体接続部ＡからプレートストッパーＥ間の両面に衣服生地素材と同程度の強度を有する素材の布，皮革または摩擦抵抗が小さくなるような表面の滑らかなプラスチックフィルムからなる保護部を設けるまたは保護カバーを装着させる。【選択図】図１2005170355.tif 000003
2005170355.tif 000002
【特許請求の範囲】
【請求項１】
自動車用安全装置連続ウェビングタイプ３点式シートベルト装着時において，右側座席の場合右側股関節部，左側座席の場合左股関節部で着衣とシートベルトとの接触摩擦により，右側座席では着衣右側股関節部に，左側座席では着衣左側股関節部に損傷が生じる。シートベルトの車体接続部ＡからプレートストッパーＥ間に皮革または衣類に使用されている布を接着または縫合，あるいは摩擦抵抗が小さくなるように表面の滑らかな摩擦係数の小さいプラスチックフィルムを接着し，右側座席では着衣右側股関節部に，左側座席では着衣左側股関節部に生じる損傷を遅延させることを特徴とする３点式シートベル衣服保護法。
【請求項２】
自動車用安全装置連続ウェビングタイプ３点式シートベルト装着時において，右側座席の場合右側股関節部，左側座席の場合左股関節部で着衣とシートベルトとの接触摩擦により，右側座席では着衣右側股関節部に，左側座席では着衣左側股関節部に損傷が生じる。シートベルトの車体接続部ＡからプレートストッパーＥ間の部分に皮革または衣類に使用されている布でなる，あるいは摩擦抵抗が小さくなるような表面の滑らかな摩擦係数の小さいプラスチックフィルムでなる保護カバーを装着し，右側座席では着衣右側股関節部に，左側座席では着衣左側股関節部に生じる損傷を遅延させることを特徴とする３点式シートベルト衣服保護法。
【発明の詳細な説明】
【技術分野】
【０００１】  本発明は自動車乗車における連続ウェビングタイプ３点式シートベルト装着時着衣とシートベルトとの接触摩擦による衣服の損傷を遅延させる方法に関してである。
【背景技術】
【０００２】  自動車の安全装置であるシートベルトについては２点式，３点式，４点式および多点式のものがあるが連続ウェビングタイプ３点式シートベルトが一般的である。【０００３】  シートベルトはシートベルト素材の糸，糸の織り方や表面加工について，シートベルトをつなぐ金具は材質や強度について，衝突時の搭乗者安全確保を主題として改良が加えられている。【０００４】  シートベルトの素材はポリアミド繊維からポリエステル繊維へと移行している。シートベルトは機能上大きな力がかかっても切断や伸びて帯幅が細くなり体に食い込まないよう織り方に高度な技術が活用されている。また車体とシートベルトをつなぐ金具，アンカー，スルーリングやバックルおよびプリテッショナーについても衝撃に耐えられる強度の材質について開発の努力が払われている。
【発明の開示】
【発明が解決しようとする課題】
【０００５】  シートベルトは搭乗者の安全確保が主目的であるため，シートベルトと衣類との摩擦による衣類生地の損傷に効果的な対策が取られていない。シートベルトは機能上強靭で固い織り方の繊維で構成されており，乗車中着衣とシートベルトの接触によりシートベルトがヤスリのような作用を衣服生地に及ぼす。右側座席シートベルト装着時搭乗者左側では力が座席左部プレートとバックルの接合部Ｃから車体との接続部Ｄの方向へ上方向に働くため，接合部Ｃが支点となり左側ではシートベルトと着衣股関節部とに間隙が生じ，着衣とシートベルトとの接触する力が小さい。搭乗者右側では接続部Ａから座席左部プレートとバックルの接合部Ｃへの方向に働き，Ｂで着衣とシートベルトとの接触する力が大くなる。車体との接続部Ａが支点，腹部シートベルトと右側股関節部との接触部Ｂが作用点となるため，右側股関節部では摩擦により着衣に損傷がみられる。特にシートベルト帯状両端部はその効果が顕著である。
【課題を解決するための手段】
【０００６】  シートベルトと着衣の接触による損傷を抑制するにはシートベルトに直接保護部を設ける方法と保護カバーを装着させる方法がある。シートベルト腹部接触部はシートベルトの車体接続部Ａ，座席左部プレートとバックルの接合部Ｃと接合部Ｃとの中間部プレートストッパーＥで構成される。シートベルトの車体接続部ＡからプレートストッパーＥ間のシートベルト両面に衣服生地素材と同程度の強度を有する素材の布，皮革を接着または縫合する。あるいは摩擦抵抗が小さくなるような表面の滑らかなプラスチックフィルムを接着させる。同様にシートベルトの車体接続部ＡからプレートストッパーＥ間のシートベルト両面に衣服生地素材と同程度の強度を有する素材の布，皮革でなる保護カバーを装着させる。あるいは摩擦抵抗が小さくなるような表面の滑らかなプラスチックフィルムでなる保護カバーを装着させる。シートベルトの車体接続部Ａ，座席左部プレートとバックルの接合部Ｃとの間に本発明を講じてもシートベルト作動時においてシートベルトの車体接続部Ａ，座席左部プレートとバックルの接合部Ｃ間は固定部であるためシートベルトの作用機能上の障害を生じさせない。
【発明の効果】
【０００６】  シートベルトの車体接続部ＡからプレートストッパーＥ間の両面に衣服生地素材と同程度の強度を有する素材の布，皮革または摩擦抵抗が小さくなるような表面の滑らかなプラスチックフィルムを接着，縫合または衣服生地素材と同程度の強度を有する素材の布，皮革または摩擦抵抗が小さくなるような表面の滑らかなプラスチックフィルムからなる保護カバーを装着させることによりシートベルトの着衣への研磨作用を抑制できる。
【発明を実施するための最良の形態】
【０００７】  シートベルトの車体接続部ＡからプレートストッパーＥ間のシートベルト両面に衣服生地素材と同程度の強度を有する素材の布，皮革を接着または縫合する。あるいは摩擦抵抗が小さくなるような表面の滑らかなプラスチックフィルムを接着させる。同様にシートベルトの車体接続部ＡからプレートストッパーＥ間のシートベルト両面に衣服生地素材と同程度の強度を有する素材の布，皮革でなる保護カバーを装着させる。あるいは摩擦抵抗が小さくなるような表面の滑らかなプラスチックフィルムでなる保護カバーを装着させる。
【実施例１】
【０００８】  シートベルトの車体接続部ＡからプレートストッパーＥ間のシートベルト両面に羊皮を接着剤で接着させる。
【実施例２】
【０００９】  シートベルトの車体接続部ＡからプレートストッパーＥ間にシートベルト両面を覆うことが可能な羊皮製保護カバーを装着させる。
【産業上の利用可能性】
【００１０】  自動車用連続ウェビングタイプ３点式シートベルトについては安全性に対する効果および使いやすさの点で最も一般的であるがシートベルトと衣服との摩擦による衣服生地の部分的損傷については対策が取られていない。本発明は連続ウェビングタイプ３点式シートベルト装着時シートベルトによる衣服生地への摩擦による部分的損傷を遅延させることにより，衣服の自然消耗へと近似させ自動車搭乗者の経済的負担を軽減させる。
【図面の簡単な説明】
【００１１】
【図１】連続ウェビングタイプ３点式シートベルトにおけるシートベルトと着衣との接触部に本発明を講じた図（実施例１）
【図２】連続ウェビングタイプ３点式シートベルト装着時におけるシートベルトと着衣との接触部
【符号の説明】
【００１２】  １  両面に羊皮を接着させた保護部
２  連続ウェビングタイプ３点式シートベルト
Ａ  シートベルトと車体との接続部
Ｂ  衣服とシートベルトとの接触部
Ｃ  プレートとバックルの接合部
Ｄ  シートベルトと車体との接続部
Ｅ  プレートストッパー
【図１】
2005170355.tif 000004
【図２】
2005170355.tif 000005